(57)【要約】光出射面４３の輝度分布において偏りがある複数の面光源２１を面方向に並べてなる照明装置２０であって、前記複数の面光源２１は前記輝度分布の偏り方向が同一であり、それらの面光源２１のうち、いくつかの面光源２１と他の面光源２１とは、前記偏り方向が異なるように向きを違えて配置され、前記光出射面４３の高輝度部分と低輝度部分とが直線状に配列されるようにした。このような構成によれば、高輝度部分が一列に並ばないから、明るい帯が形成されず、表示品質を良好にすることができる。
2010061682.tif 000002
【特許請求の範囲】
【請求項１】
複数の面光源を面方向に並べてなる照明装置であって、
前記面光源の各々は、その光出射面において高輝度部分と低輝度部分とを有しており、
前記面光源は、隣り合う当該面光源同士について前記光出射面の前記高輝度部分と前記低輝度部分とが直線状に並ぶように、配列されていることを特徴とする照明装置。
【請求項２】
前複数の面光源は、それぞれ指向性を有し、前記高輝度部分と前記低輝度部分とが同一の方向に並んでなり、
前記面光源は、隣り合う当該面光源同士について、互い違いの向きとなるように配置されていることを特徴とする請求の範囲第1項に記載の照明装置。
【請求項３】
前記面光源は、扁平な導光体の側端面から入射された光を、前記導光体の一方の主面に形成した光散乱面によって反射し、他方の主面に形成した前記光出射面から光を出射させる構成であることを特徴とする請求の範囲第１項または請求の範囲第２項に記載の照明装置。
【請求項４】
前記光散乱面は、前記導光体に入射する光の光軸とは直交する方向に延びる複数本の溝を設けて形成されていることを特徴とする請求の範囲第３項記載の照明装置。
【請求項５】
前記溝は前記導光体への光の入射位置からの距離に応じて形成密度が異ならせてあることを特徴とする請求の範囲第４項記載の照明装置。
【請求項６】
前記導光体の側端には光源収容孔が形成され、この光源収容孔に発光源が収容されていることを特徴とする請求の範囲第３項ないし請求の範囲第５項のいずれか一項に記載の照明装置。
【請求項７】
前記発光源は、ＬＥＤであることを特徴とする請求の範囲第６項に記載の照明装置。
【請求項８】
前記複数の面光源は、前記高輝度部分と前記低輝度部分とが第１の方向に並んでなる第１の面光源と、前記高輝度部分と前記低輝度部分とが前記第１の方向とは逆の第２の方向に並んでなる第２の面光源と、から少なくとも構成され、
前記面光源は、前記第１の面光源と前記第２の面光源とが隣り合うとともに、それぞれ同一の向きとなるように配置されていることを特徴とする請求の範囲第1項に記載の照明装置。
【請求項９】
前記面光源は、扁平な導光体の側端面から入射された光を、前記導光体の一方の主面に形成した光散乱面によって反射し、他方の主面に形成した前記光出射面から光を出射させる構成であることを特徴とする請求の範囲第８項記載の照明装置。
【請求項１０】
前記光散乱面は、前記導光体に入射する光の光軸とは直交する方向に延びる複数本の溝を設けて形成されている請求の範囲第９項記載の照明装置。
【請求項１１】
前記溝は前記導光体への光の入射位置からの距離に応じて形成密度が異ならせてあることを特徴とする請求の範囲第１０項記載の照明装置。
【請求項１２】
前記導光体の側端には光源収容孔が形成され、この光源収容孔に発光源が収容されていることを特徴とする請求の範囲第９項ないし請求の範囲第１１項のいずれか一項に記載の照明装置。
【請求項１３】
前記発光源は、ＬＥＤであることを特徴とする請求の範囲第１２項に記載の照明装置。
【請求項１４】
前記面光源は、前記光射出面に凹凸形状が施されたものであって、前記複数の面光源は、前記凹凸形状を異ならせることにより前記光出射面の輝度分布において偏りを生じさせていることを特徴とする請求の範囲第１項ないし請求の範囲第１３項のいずれか一項に記載の照明装置。
【請求項１５】
前記複数の面光源の前記光出射面における前記高輝度部分と前記低輝度部分とは、前記面光源の配列方向に一定ピッチで配置されていることを特徴とする請求の範囲第１項ないし請求の範囲第１４項のいずれか一項に記載の照明装置。
【請求項１６】
前記複数の面光源は矩形状をなし、これらが縦横に列をなして配置されていることを特徴とする請求の範囲第１項ないし請求の範囲第１５項のいずれか一項に記載の照明装置。
【請求項１７】
請求の範囲第１項から請求の範囲第１６項のいずれか一項に記載の照明装置と、この照明装置からの光を利用して表示を行う表示パネルとを備えることを特徴とする表示装置。
【請求項１８】
前記表示パネルが液晶を用いた液晶パネルであることを特徴とする請求の範囲第１７項に記載の表示装置。
【請求項１９】
請求の範囲第１７項または請求の範囲第１８項に記載の表示装置を備えることを特徴とするテレビ受信装置。
【発明の詳細な説明】
【技術分野】
【０００１】
本発明は、複数の面光源を有する照明装置、表示装置およびテレビ受信装置に関する。
【背景技術】
【０００２】
従来より、複数の面光源が面方向に並べて配置された表示装置用の照明装置として、例えば特許文献１に記載の照明装置が知られている。この照明装置の面光源は、ＬＥＤ等の発光源と、この発光源からの光を入射して面に対して直交する方向に光を出射する導光板とを有してなる。導光板の表面は、発光源からの入射光を出射する出射面とされ、導光板の裏面は、発光源からの入射光を散乱させる散乱面とされている。散乱面には、微細な溝が形成されており、発光源からの入射光が散乱面において乱反射し、光出射面から出射する。
【特許文献１】特開２００７−３１７４６６公報
【０００３】
（発明が解決しようとする課題）
ところで、上記のような面光源においては、発光源からの距離に応じて散乱面の微細な溝のピッチを変化させる等し、光出射面における輝度分布をできるだけ均一にしようとしている。しかしながら、光出射面における輝度分布を完全に均一にすることは非常に困難であり、少なからず光出射面にはある程度の輝度分布の偏りができてしまう。例えば、導光板のうち発光源に遠い端縁部では輝度が低く、反対側では輝度が高くなるような輝度分布の偏りが例示できる。このような面光源を縦横に多数並べると、各面光源の光出射面の高輝度部分が例えば横に一列に並んで配置されてしまい、画面全体を観察すると、明るい帯が複数本見えてしまい、結局、表示装置としての表示品質が悪くなるおそれがあった。
【発明の開示】
【０００４】
本発明は上記のような事情に基づいて完成されたものであって、表示品質を良好にすることが可能な照明装置、表示装置およびテレビ受信装置を提供することを目的とする。
【０００５】
（課題を解決するための手段）
本発明の照明装置は、複数の面光源を面方向に並べてなる照明装置であって、前記面光源の各々は、その光出射面において高輝度部分と低輝度部分とを有しており、前記面光源は、隣り合う当該面光源同士について前記光出射面の前記高輝度部分と前記低輝度部分とが直線状に並ぶように、配列されていることを特徴とする。
このような構成によれば、高輝度部分が一列に並ばないから、明るい帯が形成されず、表示品質を良好にすることができる。
【０００６】
前複数の面光源は、それぞれ指向性を有し、前記高輝度部分と前記低輝度部分とが同一の方向に並んでなり、前記面光源は、隣り合う当該面光源同士について、互い違いの向きとなるように配置されているものとしてもよい。
各面光源が、高輝度部分と低輝度部分とが同一方向に並ぶように構成されている場合、各面光源を互い違いの向きに配置することで、簡便に隣り合う面光源同士について光出射面の高輝度部分と低輝度部分とを直線状に並ぶように配列させることが可能となる。
【０００７】
前記面光源は、扁平な導光体の側端面から入射された光を、前記導光体の一方の主面に形成した光散乱面によって反射し、他方の主面に形成した前記光出射面から光を出射させる構成であるものとしてもよい。
【０００８】
前記光散乱面は、前記導光体に入射する光の光軸とは直交する方向に延びる複数本の溝を設けて形成されているものとしてもよい。
前記溝は前記導光体への光の入射位置からの距離に応じて形成密度が異ならせてあるものとしてもよい。
【０００９】
前記導光体の側端には光源収容孔が形成され、この光源収容孔に発光源が収容されているものとしてもよい。
前記発光源は、ＬＥＤであるものとしてもよい。
【００１０】
前記複数の面光源は、前記高輝度部分と前記低輝度部分とが第１の方向に並んでなる第１の面光源と、前記高輝度部分と前記低輝度部分とが前記第１の方向とは逆の第２の方向に並んでなる第２の面光源と、から少なくとも構成され、前記面光源は、前記第１の面光源と前記第２の面光源とが隣り合うとともに、それぞれ同一の向きとなるように配置されているものとしてもよい。この場合も、簡便に隣り合う面光源同士について光出射面の高輝度部分と低輝度部分とを直線状に並ぶように配列させることが可能となる。
【００１１】
また、前記面光源は、扁平な導光体の側端面から入射された光を、前記導光体の一方の主面に形成した光散乱面によって反射し、他方の主面に形成した前記光出射面から光を出射させる構であるものとしてもよい。
【００１２】
前記光散乱面は、前記導光体に入射する光の光軸とは直交する方向に延びる複数本の溝を設けて形成されているものとしてもよい。
前記溝は前記導光体への光の入射位置からの距離に応じて形成密度が異ならせてあるものとしてもよい。
【００１３】
前記導光体の側端には光源収容孔が形成され、この光源収容孔に発光源が収容されているものとしてもよい。
前記発光源は、ＬＥＤであるものとしてもよい。
【００１４】
前記面光源は、前記光射出面に凹凸形状が施されたものであって、前記複数の面光源は、前記凹凸形状を異ならせることにより前記光出射面の輝度分布において偏りを生じさせているものとしてもよい。
前記複数の面光源の前記光出射面における前記高輝度部分と前記低輝度部分とは、前記面光源の配列方向に一定ピッチで配置されているものとしてもよい。
前記複数の面光源は矩形状をなし、これらが縦横に列をなして配置されているものとしてもよい。
【００１５】
本発明の表示装置は、前記照明装置と、この照明装置からの光を利用して表示を行う表示パネルとを備えることに特徴を有する。
前記表示パネルが液晶を用いた液晶パネルであるものとしてもよい。
本発明のテレビ受信装置は、前記表示装置を備えることに特徴を有する。
【００１６】
（発明の効果）
本発明によれば、表示品質を良好にすることが可能な照明装置、表示装置およびテレビ受信装置を提供することができる。
【図面の簡単な説明】
【００１７】
【図１】実施形態１にかかるテレビ受信装置の概略を示す分解斜視図
【図２】液晶表示装置の概略を示す分解斜視図
【図３】図２のＡ−Ａ位置の下端部における断面図
【図４】同中間部における断面図
【図５】同上端部における断面図
【図６】図２のＢ−Ｂ位置の下端部における断面図
【図７】同中間部における断面図
【図８】同上端部における断面図
【図９】導光板の表面図
【図１０】同裏面図
【図１１】導光板の配列状態を表す表面図
【図１２】面光源の明部と暗部とを表す概念図
【図１３】実施形態２にかかる導光板の裏面図
【図１４】導光板の配列状態を表す表面図
【図１５】面光源の明部と暗部とを表す概念図
【符号の説明】
【００１８】
ＴＶ…テレビ受信装置、１０…液晶表示装置（表示装置）、１１…液晶パネル（表示パネル）、２０，７０…バックライト装置（照明装置）、２１，７１Ａ，７１Ｂ…面光源、２３…ＬＥＤ（発光源）、３３，７２Ａ，７２Ｂ…単位導光体（導光体）、３５…光源収容孔、４８，７３…光散乱面、４３…光出射面
【発明を実施するための最良の形態】
【００１９】
＜実施形態１＞
以下、本発明の実施形態１を図１〜図１２によって説明する。
本実施形態では、液晶表示装置１０（表示装置）を備えるテレビ受信装置ＴＶについて例示する。テレビ受信装置ＴＶは、図１に示すように、液晶表示装置１０と、液晶表示装置１０を表裏から挟むようにして収容するキャビネットＣＡ，ＣＢと、電源Ｐと、テレビ放送などを受信するためのチューナーＴＮと、スタンドＳとを備えている。液晶表示装置１０は、表示面を略垂直方向に向けた縦置き姿勢でキャビネットＣＡ，ＣＢに収容されている。以下、各構成部材において、図１の左下側（テレビ受信装置ＴＶの正面側、表示側）を表方、右上側を裏方として説明する。なお、図面中に示したＸ方向は、液晶表示装置１０の長手方向に沿う方向、Ｙ方向は、液晶表示装置１０の短手方向に沿う方向（正側が上側、負側が下側）、Ｚ方向は、液晶表示装置１０の表裏方向（正側が表側、負側が裏側）を表す。【００２０】
液晶表示装置１０は、表裏方向から見ると全体として横長な矩形状をなし、図２に示すように、画像を表示可能な液晶パネル１１（表示パネル）と、液晶パネル１１に向けて光を照射する外部光源であるバックライト装置２０（照明装置）とを有し、これらがベゼル５６等の保持部材により一体的に保持されている。【００２１】
液晶パネル１１は、横長の矩形状をなす一対の透明な（透光性を有する）ガラス製の基板と、両基板の間に介在し、電圧印加に伴って光学特性が変化する液晶層（図示せず）とを有してなる。なお、液晶パネル１１の表面および裏面には、偏光板１２が貼り付けられている（図３参照）。【００２２】
バックライト装置２０は、所謂直下型のバックライト装置２０であって、液晶パネル１１の背面直下に備えられている。バックライト装置２０は、複数の面光源２１が面方向に並べられた光源ユニット２２を有している。【００２３】
光源ユニット２２は、裏面側（液晶パネル１１とは反対側）に凹む浅皿状のシャーシ５１を備えている。シャーシ５１は金属製であり、底面（表面）には、表面実装型のＬＥＤ２３（発光原）が実装された複数枚のＬＥＤ基板２４が配設されている。【００２４】
ＬＥＤ基板２４は合成樹脂製であって、その表面は、光の光反射性に優れた白色とされている。ＬＥＤ基板２４は、表裏方向から視て横長の長方形状をなし、その長手方向がシャーシ５１の長手方向と一致する向きで、シャーシ５１の底面に並べられている。シャーシ５１の底面は、複数枚のＬＥＤ基板２４により略全体を覆われている。【００２５】
各ＬＥＤ基板２４には、金属膜からなる図示しない配線パターンが形成され、所定の位置にＬＥＤ２３が実装されている。
ＬＥＤ２３は、全体として横長な略ブロック状をなし、側面が発光面２３Ａとなる側面発光型のものである。ＬＥＤ２３は、その長手方向がＬＥＤ基板２４の長手方向と一致する向きで、ＬＥＤ基板２４に半田付けにより実装されている。ＬＥＤ２３の発光面２３Ａは、ＬＥＤ基板２４の短手方向に対して略直交する向きをなし、光軸は、ＬＥＤ基板２４の短手方向に対して略平行をなしている。また、ＬＥＤ２３の発光面２３Ａは、ＬＥＤ基板２４の表面に対して略垂直をなし、光軸は、ＬＥＤ基板２４の表面と略平行をなしている。ＬＥＤ２３は、主発光波長の異なる３種類のＬＥＤチップ（図示せず）を内蔵しており、具体的には各ＬＥＤ２３チップがＲ（赤色）、Ｇ（緑色）、Ｂ（青色）を単色発光するようになっている。【００２６】
ＬＥＤ２３は、ＬＥＤ基板２４の短手方向および長手方向に所定のピッチ（後述する導光板３０を並べて配置したときの光源収容孔３５の配置ピッチと同ピッチ）で並べられている。ＬＥＤ２３は、ＬＥＤ基板２４の長手方向に隣り合う２つずつが、ＬＥＤ基板２４の短手方向にずれるように配置され、言い換えると、ＬＥＤ２３は、ＬＥＤ基板２４の長手方向に沿って連続的に折れ曲がる形態をなして（ジグザグに）配置されている（図１１参照）。なお、ＬＥＤ基板２４には、ＬＥＤ２３の駆動を制御する制御基板（図示せず）が電気的に接続されている。【００２７】
ＬＥＤ基板２４には、後述する導光板３０に設けられた位置決め突部３１が嵌合可能な位置決め孔２５が設けられている（図３ないし図８参照）。また、ＬＥＤ基板２４には、導光板３０をＬＥＤ基板２４に固定するためのクリップ２６（図１１参照）が挿通可能なクリップ挿通孔（図示せず）が設けられている。なお、ＬＥＤ基板２４は、シャーシ５１の底板に対して図示しないネジにより固定されている。【００２８】
ＬＥＤ基板２４とシャーシ５１の底面（表面）との間には、熱伝導性に優れた合成樹脂材料または金属材料からなる伝熱部材２７が介在している。また、シャーシ５１の外面（裏面）には、熱伝導性に優れた合成樹脂材料または金属材料からなる放熱部材２８が貼り付けられている。【００２９】
ＬＥＤ基板２４の表面には、複数の導光板３０が、ＬＥＤ基板２４の表面を覆うように並べて配置されている。導光板３０は、屈折率が空気よりも十分に高く、ほぼ透明な（透光性に優れた）合成樹脂材料（例えばポリカーボネートなど）からなる。導光板３０は、表裏方向から見ると、全体として長方形状をなし、その長手方向がＬＥＤ２３の光軸方向と一致する向きで、ＬＥＤ基板２４の表面に配置されている。【００３０】
導光板３０には、図９および図１０に示すように、導光板３０を短手方向に２分割する位置（導光板３０の短手方向の略中央位置）にスリット３２が形成されている。スリット３２は、導光板３０の長手方向の一端から他端側へ向かって真っ直ぐに延び、一端側は開放され、他端側は閉じた形態をなしている。【００３１】
導光板３０のうちスリット３２の両側には、互いに光学的に独立した単位導光体３３（導光体）が形成されている。なお、導光板３０を縁取る全周面は、ＬＥＤ基板２４の表面に対して略垂直をなして配置される。【００３２】
導光板３０の長手方向の他端側の部分（スリット３２の形成されていない部分）は、ＬＥＤ基板２４に取り付けられる取付部３４とされている。取付部３４には、ＬＥＤ２３を収容する光源収容孔３５が、導光板３０の板厚方向に貫通形成されている。光源収容孔３５は、導光板３０の短手方向に長い長方形状をなし、その内周面のうちＬＥＤ２３の発光面２３Ａと対向する面が、ＬＥＤ２３からの光が入射する光入射面３６とされている。【００３３】
光源収容孔３５は、導光板３０の短手方向に一対、所定の間隔を空けて設けられている。各光源収容孔３５は、各単位導光体３３の短手方向の略中央位置、言い換えると、導光板３０の短手方向の両端縁（長手方向に延びる両側縁）と、スリット３２との間の略中央位置に配されている。両光源収容孔３５は、各光源収容孔３５に収容されたＬＥＤ２３からの光が、隣接して配される単位導光体３３に入射しない位置に、それぞれ形成されている。【００３４】
また、取付部３４には、導光板３０をＬＥＤ基板２４に取り付けるためのクリップ２６を挿通可能なクリップ挿通孔３７が貫通形成されている。クリップ挿通孔３７は、取付部３４における幅方向（導光板３０の短手方向）の両端位置に設けられている。このクリップ挿通孔３７を挿通したクリップ２６を、ＬＥＤ基板２４のクリップ挿入孔に挿入することで、導光板３０がＬＥＤ基板２４に対して取り付け状態に保持される。【００３５】
また、取付部３４には、ＬＥＤ基板２４上に実装されたフォトセンサ２９を収容可能なセンサ収容孔３８が形成されている。センサ収容孔３８は、一対の光源収容孔３５の間（スリット３２の軸線上）の位置に設けられている。【００３６】
各単位導光体３３は、ＬＥＤ２３からの光を外部へ漏らさないようにして導く導光部４１と、導光部４１により導かれた光を出射する出射部４２とを有している。各単位導光体３３のうち光源収容孔３５側の部分が導光部４１、反対側の部分が出射部４２とされており、ＬＥＤ２３から照射された光は、導光部４１内において全反射を繰り返しながら出射部４２側へと導かれ、出射部４２の光出射面４３から出射される。単位導光体３３とＬＥＤ２３とが、面光源２１を構成している。なお、各単位導光体３３の取付部３４寄りの位置には、ＬＥＤ基板２４の位置決め孔２５に挿入されて、ＬＥＤ基板２４に対して導光板３０を位置決めする位置決め突部３１が設けられている。【００３７】
導光板３０の表面は、取付部３４側の端縁から出射部４２側へ向かって、少しずつ表側へ傾く（少しずつＬＥＤ基板２４の表面から離れる）表傾斜面４４とされ、表傾斜面４４から光出射部４２の先端までの部分は、ＬＥＤ基板２４の表面と略平行をなす表平坦面４５とされている（図３ないし図８参照）。導光板３０の表面は、全体にわたり凹凸のない滑らかな面とされている。そして、導光板３０の表面のうち出射部４２の表面は、各単位導光体３３の光出射面４３とされている。なお、図９の網掛け部分は、光出射面４３を表している。【００３８】
各単位導光体３３の光出射面４３は、表裏方向から見ると、導光板３０の長手方向に若干長い矩形状をなしている。光出射面４３は、表傾斜面４４の端部から表平坦面４５の全体にわたる部分であり、大部分（光出射面４３のうち出射部４２とは反対側の大部分）が表平坦面４５である。なお、導光板３０のうち、取付部３４および導光部４１は非発光部とされている。【００３９】
また、導光板３０の裏面は、取付部３４の部分がＬＥＤ基板２４の表面と略平行をなす裏平坦面４６とされ、裏平坦面４６から光出射部４２の先端までの部分は、少しずつ表側へ傾く（少しずつＬＥＤ基板２４の表面から離れる）裏傾斜面４７とされている（図３ないし図８参照）。【００４０】
導光板３０の裏面のうち出射部４２の裏面（単位導光体３３の裏面のうち光出射面４３と重畳する部分の略全体）は、光を散乱させる光散乱面４８とされている（図１０参照）。この光散乱面４８においてＬＥＤ２３から各単位導光体３３内に入射された光を散乱させ、光出射面４３に対する臨界角を超えない光を生み出し、光出射面４３において全反射が起こらないようにして光出射面４３から光を出射させるようにしている。【００４１】
バックライト装置２０に備えられる全ての導光板３０の光散乱面４８の全体には、微細な凹凸加工が施され、詳しくは、光散乱面４８には、導光板３０の短手方向（単位導光体３３に対するＬＥＤ２３とは直交する方向）に直線的に延びる多数の溝が形成されている。そして、光散乱面４８に形成された多数の溝は、単位導光体７２への光の入射位置（光入射面３６）からの距離に応じて形成密度が異なっており、詳しくは、溝の並列ピッチは、導光部４１側から出射部４２の先端側へ向かって次第に狭くなる設定、言い換えると、ＬＥＤ２３に近い側ほど低密度に、遠い側ほど高密度になる設定とされている。すなわち、すべての導光板３０は、ＬＥＤ２３からの距離に応じて散乱しやすさ（散乱度合い）が変化しており、詳しくはＬＥＤ２３に近い側よりも遠い側において散乱しやすい光散乱特性を有している。このような光散乱特性を有するものとすることで、光出射面４３におけるＬＥＤ２３から近い側と遠い側との間の輝度の差をできるだけ小さくし、輝度の均一性を実現しようとしている。しかし、実際には、面光源２１の光出射面４３における輝度はＬＥＤ２３からの距離に応じて若干変化しており、詳しくは、ＬＥＤ２３から遠い側が近い側よりも輝度が若干大きくなっている。すなわち、全ての面光源２１は、全体としてＬＥＤ２３から離れる方向に高輝度となる偏りを有し、その輝度分布の偏り方向は同一となっている。そして、すべての面光源２１の光出射面４３は、表傾斜面４４の部分が輝度の低い低輝度部分（暗部）となり、表平坦面４５における略中央部分（ＬＥＤ２３の光軸方向の中央部分）が輝度の高い高輝度部分（明部）となる輝度特性を有している。なお、導光板３０の裏面のうち光散乱面４８を除く部分の略全体は、凹凸のない滑らかな面とされている。【００４２】
導光板３０の裏面には、反射シート４９が配されている。反射シート４９は、光の反射性に優れた白色を呈する合成樹脂製とされている。反射シート４９は、導光板３０の裏面のうち導光部４１および出射部４２に重畳する部分の略全体に配置されている。反射シート４９は、反射シート４９に設けられた固定穴４９Ａと、導光体３０の位置決め突起３１との嵌合により、導光体３０に対して固定されている。この反射シート４９は、導光板３０から光が裏側に漏れるのを防ぐとともに、光散乱面４８において散乱された光を光出射面４３側へ反射する機能を有している。【００４３】
導光板３０の厚さ寸法は、取付部３４においては導光部４１側へ向かって少しずつ大きくなり、導光部４１から出射部４２の表平坦面４５を除く部分においては略一定とされ、出射部４２の表平坦面４５の部分は、先端へ向かって少しずつ小さくなっている。そして、導光板３０は、取付部３４の裏面がＬＥＤ基板２４の表面に接触した状態でＬＥＤ基板２４に固定され、それよりも先の部分がＬＥＤ基板２４から浮き上がった片持ち状に配置されている。【００４４】
さて、複数の導光板３０は、各単位導光体３３の光出射面４３（面光源２１の光出射面４３）が面方向（ＬＥＤ基板２４の表面に対して略平行方向）にマトリクス状に並ぶようにして、ＬＥＤ基板２４の表面に配置されている（図１１参照）。【００４５】
導光板３０は、長手方向の一端部を互いに重ね合わせて一列に並べられるとともに、その一列に並べられた導光板３０群が、短手方向に所定の間隔を空けて並べられている（図参照）。導光板３０群は、一の導光板３０の出射部４２が、他の導光板３０の非発光部（取付部３４から導光部４１にわたる部分）の表側に重ねて並べられている。そして、各導光板３０群の光出射面４３は、ＬＥＤ基板２４の短手方向にほぼ隙間無く一列に並べられる。【００４６】
複数の導光板３０群は、取付部３４を下側（図のＹ方向負側）に、出射部４２を上側（図のＹ方向正側）に向けた上向き姿勢で並べられた上向き導光板３０Ａ群と、出射部４２を下側（図のＹ方向負側）に、取付部３４を上側（図のＹ方向正側）に向けた下向き姿勢で並べられた下向き導光板３０Ｂ群とに分かれている。すなわち、上向き導光板３０Ａ群を構成する面光源２１（いくつかの面光源２１）と、下向き導光板３０Ｂ群を構成する面光源２１（他の面光源２１）とは、輝度分布の偏り方向が異なって配置され、詳しくは、上向き導光板３０Ａ群を構成する面光源２１と、下向き導光板３０Ｂ群を構成する面光源２１とは、導光体に対するＬＥＤ２３の光の入射方向が反対方向となる向きで配置されている。【００４７】
そして、上向き導光板３０Ａ群と下向き導光板３０Ｂ群とは、ＬＥＤ基板２４の長手方向に所定の間隔（スリット３２と同等の間隔）を空けて並べられ、導光板３０群同士が互いに重ならないように配置されている。上向き導光板３０Ａ群と下向き導光板３０Ｂ群とは、ＬＥＤ基板２４の長手方向に交互に（一列おきに）並べられている。上向き導光板３０Ａ群と下向き導光板３０Ｂ群とは、各導光板３０群を構成する導光板３０の長手方向の両端縁の位置が揃うように配置されている。こうして、面光源２１は、縦横に列をなして配置されている。【００４８】
そして、上向き導光板３０Ａ群と下向き導光板３０Ｂ群の高輝度部分（明部）と低輝度部分（暗部）とは、ＬＥＤ基板２４の長手方向および短手方向（面光源２１の配列方向）に交互に一定ピッチで直線状に並べられている（図１２参照）。詳しくは、ＬＥＤ基板２４の長手方向には、２つの光出射面４３の明部と２つの光出射面４３の暗部とが交互に直線状に並べられ、短手方向には、各光出射面４３の明部と暗部とが交互に直線状に並べられている。【００４９】
こうして、すべての面光源２１は、光出射面４３が、ＬＥＤ基板２４の表面の略全体に敷き詰められた状態で配置されている。敷き詰められた面光源２１の光出射面４３が、光源ユニット２２の光出射面４３を構成している。【００５０】
バックライト装置２０は、光拡散板５２と光学シート５３とを有している。光拡散板５２は、所定の厚みを持つ透明な樹脂製の基材内に拡散粒子が多数分散されたものであり、透過する光を拡散する機能を有している。光拡散板５２は、同等の厚さのものが２枚積層されてなり、光源ユニット２２の光出射面４３側（シャーシ５１の表面側）に、面光源２１の光出射面４３と近接して備えられている。また、光学シート５３は、裏側から順に、拡散シート、レンズシート、反射型偏光シートとが積層してなり（図２参照）、光拡散板５２の表側（液晶パネル側）に備えられている。【００５１】
シャーシ５１の周縁部には、光拡散板５２の周縁部を全周にわたり裏側から支持する支持部材５４が設けられている。また、光拡散板５２の周縁部と液晶パネル１１の周縁部との間には、フレーム５５が設けられ、液晶パネル１１の周縁部の表側にはベゼル５６が設けられている。そして、光拡散板５２の周縁部は、支持部材５４とフレーム５５との間に挟まれ、液晶パネル１１の周縁部は、ベゼル５６とフレーム５５との間に挟まれ、光学シート５３は、光拡散板５２と液晶パネル１１との間に挟まれて保持されている。液晶表示装置１０は、ベゼル５６、フレーム５５およびシャーシ５１が複数箇所においてネジ５７により固定されることで一体に組み付けられている（図５および図６参照）。なお、上向き導光板３０Ａ群の下端および下向き導光板３０Ｂ群の上端においては、図３および図８に示すように、支持部材５４は、導光板３０の取付部３４および導光部４１の表側に被さる形態をなしている。また、上向き導光板３０Ａ群の上端および下向き導光板３０Ｂ群の下端においては、図５および図６に示すように、支持部材５４はシャーシ５１の底板に沿って配され、導光板３０の先端部と光拡散板５２とを裏側から支持する形態をなしている。【００５２】
次に、上記のように構成された実施形態１の作用および効果について説明する。
本実施形態では、複数の面光源２１の光出射面４３の高輝度部分と低輝度部分とが直線状に配列されている。したがって、高輝度部分が一列に並ばないから、明るい帯が形成されず、表示品質を良好にすることができる。【００５３】
＜実施形態２＞
次に、本発明の実施形態２に係るテレビ受信装置ＴＶを図１３〜図１５によって説明する。
本実施形態のテレビ受信装置ＴＶは、複数の面光源７１を、光出射面４３における輝度分布の偏り方向が異なる複数種の面光源７１により構成し、それらを同一の配置方向で並べた点で、実施形態１とは相違する。なお、実施形態１と同様の構成には同一符号を付して重複する説明を省略する。【００５４】
本実施形態の面光源７１は、実施形態１と同様、単位導光体７２とＬＥＤ２３とにより構成され、単位導光体７２の裏面（光出射面４３とは反対側の面）には、光を散乱させる光散乱面７３が設けられている。バックライト装置７０に備えられる全ての単位導光体７２の光散乱面７３には、実施形態１と同様、微細な凹凸加工（導光板７４の短手方向に直線的に延びる多数の溝）が形成されている。【００５５】
そして、複数の面光源７１は、輝度分布の偏り方向が異なる二種の面光源（第一種面光源７１Ａおよび第二種面光源７１Ｂ）により構成されている。【００５６】
第一種面光源７１Ａの単位導光体７２（第一種導光体７２Ａと称する）は、実施形態１と同様に、光散乱面７３に形成された多数の溝の並列ピッチが、導光部４１側から出射部４２の先端側へ向かって次第に狭くなる設定、言い換えると、ＬＥＤ２３に近い側ほど低密度に、遠い側ほど高密度になる設定とされている（図１０参照）。一方、第二種面光源７１Ｂの単位導光体７２（第二種導光体７２Ｂと称する）は、第一種導光体７２Ａとは逆に、光散乱面７３に形成された多数の溝の並列ピッチが、導光部４１側から出射部４２の先端側へ向かって次第に広くなる設定、言い換えると、ＬＥＤ２３に近い側ほど高密度に、遠い側ほど低密度になる設定とされている（図１３参照）。【００５７】
第一種導光体７２Ａおよび第二種導光体７２Ｂは、実施形態１と同様、ＬＥＤ２３からの距離に応じて散乱しやすさ（散乱度合い）が変化するものとされている。そして、第一種導光体７２ＡはＬＥＤ２３に近い側よりも遠い側において散乱しやすい光散乱特性を有し、第二種導光体７２ＢはＬＥＤ２３に遠い側よりも近い側において散乱しやすい光散乱特性を有している。【００５８】
そして、すべての面光源７１は、実施形態１と同様、光出射面４３における輝度がＬＥＤ２３からの距離に応じて変化するものとされている。第一種面光源７１Ａの光出射面４３における輝度は、ＬＥＤ２３から遠い側が近い側よりも若干大きくなっており、第二種面光源７１Ｂの光出射面４３における輝度は、ＬＥＤ２３から近い側が遠い側よりも若干大きくなっている。すなわち、第一種面光源７１Ａは、全体としてＬＥＤ２３から離れる方向に高輝度となる偏りを有し、第二種面光源７１Ｂは、全体としてＬＥＤ２３に近づく方向に高輝度となる偏りを有し、第一種面光源７１Ａと第二種面光源７１Ｂとは、その輝度分布の偏り方向が逆方向となっている。そして、第一種面光源７１Ａは、光出射面４３における表傾斜面４４の部分が輝度が低い低輝度部分（暗部）、表平坦面４５における中央部分（ＬＥＤ２３の光軸方向の中央部分）が輝度が高い高輝度部分（明部）となっており、一方第二種面光源７１Ｂは、光出射面４３における表傾斜面４４の部分が輝度が高い高輝度部分（明部）、表平坦面４５の部分における先端部が輝度が低い低輝度部分（暗部）となっている。【００５９】
そして、全ての導光板７４は、２つの第一種導光体７２Ａを有する第一種導光板７４Ａと、２つの第二種導光体７２Ｂを有する第二種導光板７４Ｂとに分けられている。全ての導光板７４は、実施形態１と同様、各単位導光体７２の光出射面４３（面光源７１の光出射面４３）が面方向（ＬＥＤ基板２４の表面に対して略平行方向）に並ぶようにして配置されている。導光板７４は、実施形態１と同様、長手方向の一端部を互いに重ね合わせて一列に並べられるとともに、その一列に並べられた導光板７４群が、短手方向に所定の間隔を空けて並べられている。【００６０】
全ての導光板７４は、取付部３４を下側（図のＹ方向負側）に、出射部４２を上側（図のＹ方向正側）に向けた上向き姿勢で並べられ、面方向における向きが同一の向きで配置されている。そして、全ての面光源７１Ａ，７２Ｂは、それぞれの導光体７２Ａ，７２Ｂに対するＬＥＤ２３の光の入射方向が同方向となる向きで配置されている。【００６１】
全ての導光板７４は、第一種導光板７４ＡがＬＥＤ基板２４の短手方向に並べられてなる第一種導光板７４Ａ群と、第二種導光板７４ＢがＬＥＤ基板２４の短手方向に並べられてなる第二種導光板７４Ｂ群とにわかれている。そして、第一種導光板７４Ａ群と第二種導光板７４Ｂ群とは、ＬＥＤ基板２４の長手方向に所定の間隔（スリット３２と同等の間隔）を空けて並べられ、導光板７４群同士が互いに重ならないように配置されている。第一種導光板７４Ａ群と第二種導光板７４Ｂ群とは、ＬＥＤ基板２４の長手方向に交互に（一列おきに）並べられている。第一種導光板７４Ａ群と第二種導光板７４Ｂ群とは、各導光板７４Ａ，７４Ｂ群を構成する導光板７４Ａ，７４Ｂの長手方向の両端縁の位置が揃うように配置され、第一種面光源７１Ａと第二種面光源７１Ｂとが２つずつ交互にＬＥＤ基板２４の長手方向に並んで配置されている。【００６２】
そして、第一種導光板７４Ａ群および第二種導光板７４Ｂ群の明部（高輝度部分）と暗部（低輝度部分）とは、図１５に示すように、ＬＥＤ基板２４の長手方向および短手方向（面光源７１の並列方向）に交互に直線状に配されている。複数の面光源７１の光出射面４３における明部と暗部とは、ＬＥＤ基板２４の長手方向および短手方向（面光源７１の並列方向）に一定ピッチで配置されている。詳しくは、実施形態１と同様、ＬＥＤ基板２４の長手方向には、２つの光出射面４３の明部と２つの光出射面４３の暗部とが交互に直線状に並べられ、短手方向には、各光出射面４３の明部と暗部とが交互に直線状に並べられている。【００６３】
こうして、すべての面光源７１は、光出射面４３が、ＬＥＤ基板２４の表面の略全体に敷き詰められた状態で配置される。なお、ＬＥＤ２３は、ＬＥＤ基板２４の短手方向および長手方向に所定のピッチで略直線状に並べられている。【００６４】
以上のように本実施形態においては、実施形態１と同様に、複数の面光源７１の光出射面４３の高輝度部分と低輝度部分とが直線状に配列されているから、明るい帯が形成されず、表示品質を良好にすることができるという効果を得ることができる。【００６５】
＜他の実施形態＞
本発明は上記記述及び図面によって説明した実施形態に限定されるものではなく、例えば次のような実施形態も本発明の技術的範囲に含まれる。【００６６】
（１）上記実施形態では、本発明を、面光源２１が縦横に並んで配置されているものに適用したが、これに限らず、本発明は、例えば面光源が単列に並んで配置されているものにも適用することができる。
（２）上記実施形態では、光散乱面４８に施された微細な凹凸は多数の溝とされているが、これに限らず、例えばドット模様等であってもよい。
（３）上記実施形態では、光散乱面４８には微細な凹凸が施されているが、これに限らず、例えば白色顔料を塗布して光を散乱させるようにしてもよく、またこの白色顔料の濃淡を導光体への光の入射位置からの距離に応じて異ならせるようにしてもよい。【００６７】
（４）上記実施形態では、導光板３０の光散乱面４８に施された微細な凹凸加工により、光出射面４３における輝度分布に偏りが生じるものとされているが、これに限らず、例えば、導光板の裏面に、反射率の高い部分と低い部分とを分布させた反射シートを配置することにより、光出射面における輝度分布に偏りが生じるものとしてもよい。なお、反射シートに反射率の分布を持たせる方法としては、例えば、反射シートに複数の穴を開け、この穴の密度を変化させる方法や、反射シートに黒点を印刷し、この黒点密度を変化させる方法等、様々な方法を用いることができる。【００６８】
（５）実施形態１では、上向き導光板３０Ａ群と下向き導光板３０Ｂ群とは、ＬＥＤ基板２４の長手方向に一列おきに並べられているが、これに限らず、上向き導光板３０Ａ群と下向き導光板３０Ｂ群とは、ＬＥＤ基板２４の長手方向に混在していれば、どのようなピッチで配置されていてもよい。【００６９】
（６）実施形態１では、上向き導光板３０Ａ群を構成する面光源２１と、下向き導光板３０Ｂ群を構成する面光源２１とは、導光体に対するＬＥＤ２３の光の入射方向が反対方向となる向きで配置されているけれども、これに限らず、例えば複数の面光源と、他の面光源とは、導光体に対するＬＥＤの光の入射方向が略直交する向きで配置されていてもよい。【００７０】
（７）実施形態２では、溝の形成密度を異ならせることにより輝度分布の偏りを生じさせているが、これに限らず、例えば、面光源の光射出面に凹凸形状を施し、その凹凸形状を異ならせる構成としてもよい。また、光出射面に多数の微小多面体突起を形成し、プリズム面としてもよい。【００７１】
（８）実施形態２では、複数の面光源７１は、輝度分布の偏り方向が異なる第一種面光源７１Ａおよび第二種面光源７１Ｂの二種により構成されているが、これに限らず、例えば輝度分布の偏り方向が異なる第一種面光源、第二種面光源および第三種面光源の三種により構成されていてもよく、また四種以上により構成されていてもよい。【００７２】
（９）実施形態２では、複数の面光源７１は、光散乱面７３に形成された多数の溝の並列ピッチがＬＥＤ２３に近い側ほど低密度に、遠い側ほど高密度になる設定とされた第一種面光源７１Ａと、光散乱面７３に形成された多数の溝の並列ピッチがＬＥＤ２３に近い側ほど高密度に、遠い側ほど低密度になる設定とされた第二種面光源７１Ｂとにより構成されているが、散乱面の溝のピッチは、輝度分布の偏り方向が互いに異なるものとなればどのような設定とされていてもよく、例えば、複数の面光源が、散乱面に形成された溝のピッチが均一な面光源と、均一でない面光源とにより構成されるものとしてもよい。【００７３】
（１０）実施形態２では、第一種面光源７１Ａと第二種面光源７１Ｂとは同じ向きで配置されているが、これに限らず、第一種面光源と第二種面光源とは異なる向きで配置されていてもよい。【００７４】
（１１）実施形態２では、一の導光体３０の輝度分布の偏り方向（取付部３４によって連結された２つの単位導光体７２の輝度分布の偏り方向）は同一とされているが、これに限らず、例えば各単位導光体ごとに輝度分布の偏り方向を異なるものとしてもよい。【００７５】
（１２）実施形態２では、第一種導光板７４Ａが並べられた第一種導光板７４Ａ群と、第二種導光板７４Ｂが並べられた第二種導光板７４Ｂ群とがＬＥＤ基板２４の長手方向に交互に並べられているが、これに限らず、例えば、第一種導光板と第二種導光板とをＬＥＤ基板の短手方向に交互に並べるとともに、それらをＬＥＤ基板の長手方向に並べるようにしてもよい。
【図１】
2010061682.tif 000003
【図２】
2010061682.tif 000004
【図３】
2010061682.tif 000005
【図４】
2010061682.tif 000006
【図５】
2010061682.tif 000007
【図６】
2010061682.tif 000008
【図７】
2010061682.tif 000009
【図８】
2010061682.tif 000010
【図９】
2010061682.tif 000011
【図１０】
2010061682.tif 000012
【図１１】
2010061682.tif 000013
【図１２】
2010061682.tif 000014
【図１３】
2010061682.tif 000015
【図１４】
2010061682.tif 000016
【図１５】
2010061682.tif 000017
【手続補正書】
【提出日】平成23年5月18日(2011.5.18)
【手続補正１】
【補正対象書類名】特許請求の範囲
【補正対象項目名】全文
【補正方法】変更
【補正の内容】
【特許請求の範囲】
【請求項１】
複数の面光源を面方向に並べてなる照明装置であって、
前記面光源の各々は、その光出射面において高輝度部分と低輝度部分とを有しており、
前記面光源は、隣り合う当該面光源同士について前記光出射面の前記高輝度部分と前記低輝度部分とが直線状に並ぶように配列されており、
前複数の面光源は、それぞれ指向性を有し、前記高輝度部分と前記低輝度部分とが同一の方向に並んでなり、
前記面光源は、隣り合う当該面光源同士について、互い違いの向きとなるように配置されていることを特徴とする照明装置。
【請求項２】
前記面光源は、扁平な導光体の側端面から入射された光を、前記導光体の一方の主面に形成した光散乱面によって反射し、他方の主面に形成した前記光出射面から光を出射させる構成であることを特徴とする請求項１記載の照明装置。
【請求項３】
前記光散乱面は、前記導光体に入射する光の光軸とは直交する方向に延びる複数本の溝を設けて形成されていることを特徴とする請求項２記載の照明装置。
【請求項４】
前記溝は前記導光体への光の入射位置からの距離に応じて形成密度が異ならせてあることを特徴とする請求項３記載の照明装置。
【請求項５】
前記導光体の側端には光源収容孔が形成され、この光源収容孔に発光源が収容されていることを特徴とする請求項２ないし請求項４のいずれか一項に記載の照明装置。
【請求項６】
前記発光源は、ＬＥＤであることを特徴とする請求項５記載の照明装置。
【請求項７】
複数の面光源を面方向に並べてなる照明装置であって、
前記面光源の各々は、その光出射面において高輝度部分と低輝度部分とを有しており、
前記面光源は、隣り合う当該面光源同士について前記光出射面の前記高輝度部分と前記低輝度部分とが直線状に並ぶように配列されており、
前記複数の面光源は、前記高輝度部分と前記低輝度部分とが第１の方向に並んでなる第１の面光源と、前記高輝度部分と前記低輝度部分とが前記第１の方向とは逆の第２の方向に並んでなる第２の面光源と、から少なくとも構成され、
前記面光源は、前記第１の面光源と前記第２の面光源とが隣り合うとともに、それぞれ同一の向きとなるように配置されていることを特徴とする照明装置。
【請求項８】
前記面光源は、扁平な導光体の側端面から入射された光を、前記導光体の一方の主面に形成した光散乱面によって反射し、他方の主面に形成した前記光出射面から光を出射させる構成であることを特徴とする請求項７記載の照明装置。
【請求項９】
前記光散乱面は、前記導光体に入射する光の光軸とは直交する方向に延びる複数本の溝を設けて形成されている請求項８記載の照明装置。
【請求項１０】
前記溝は前記導光体への光の入射位置からの距離に応じて形成密度が異ならせてあることを特徴とする請求項９記載の照明装置。
【請求項１１】
前記導光体の側端には光源収容孔が形成され、この光源収容孔に発光源が収容されていることを特徴とする請求項８ないし請求項１０のいずれか一項に記載の照明装置。
【請求項１２】
前記発光源は、ＬＥＤであることを特徴とする請求項１１に記載の照明装置。
【請求項１３】
複数の面光源を面方向に並べてなる照明装置であって、
前記面光源の各々は、その光出射面において高輝度部分と低輝度部分とを有しており、
前記面光源は、隣り合う当該面光源同士について前記光出射面の前記高輝度部分と前記低輝度部分とが直線状に並ぶように配列されており、
前記面光源は、前記光射出面に凹凸形状が施されたものであって、前記複数の面光源は、前記凹凸形状を異ならせることにより前記光出射面の輝度分布において偏りを生じさせていることを特徴とする照明装置。
【請求項１４】
複数の面光源を面方向に並べてなる照明装置であって、
前記面光源の各々は、その光出射面において高輝度部分と低輝度部分とを有しており、
前記面光源は、隣り合う当該面光源同士について前記光出射面の前記高輝度部分と前記低輝度部分とが直線状に並ぶように配列されており、
前記複数の面光源の前記光出射面における前記高輝度部分と前記低輝度部分とは、前記面光源の配列方向に一定ピッチで配置されていることを特徴とする照明装置。
【請求項１５】
前記複数の面光源は矩形状をなし、これらが縦横に列をなして配置されていることを特徴とする請求項１ないし請求項１４のいずれか一項に記載の照明装置。
【請求項１６】
請求項１から請求項１５のいずれか一項に記載の照明装置と、この照明装置からの光を利用して表示を行う表示パネルとを備えることを特徴とする表示装置。
【請求項１７】
前記表示パネルが液晶を用いた液晶パネルであることを特徴とする請求項１６に記載の表示装置。
【請求項１８】
請求項１６または請求項１７に記載の表示装置を備えることを特徴とするテレビ受信装置。
【国際調査報告】
2010061682.tif 000018
2010061682.tif 000019